(57)【要約】      （修正有）【課題】関連する２以上の複数のデータを１枚のディスクから同期して再生することが可能な複数の情報の記録再生装置を提供する。【解決手段】第１の連続的な情報を記録又は再生するための第１の情報領域１２と第２の情報領域１５とを有する情報記録媒体１０に、前記情報記録媒体に記録再生する転送レートの差を吸収する一時記憶手段と、前記一時記憶手段を制御して１つの記録又は再生ヘッド移動手段を用いて、第１と第２の連続領域に時分割して交互に行うように制御する制御手段と、記録又は再生開始時は時分割して交互に行う動作に移行する制御調整手段とを有する。【選択図】図１
2005122888.tif 000002
【特許請求の範囲】
【請求項１】
第１の連続的な情報を記録又は再生するための第１の情報領域と第２の連続的な情報を記録又は再生するための第２の情報領域とを有する情報記録媒体に、
第１の連続的な情報の転送レートと第２の連続的な情報の転送レートと、前記情報記録媒体に対して記録又は再生する転送レートの差を吸収する一時記憶手段と、
前記一時記憶手段の書き込み及び読み出しを制御して、
１つの記録又は再生ヘッド移動手段を用いて、
前記記録又は再生ヘッド移動手段を前記第１の情報領域に移動して、前記第１の連続的な情報を前記第１の情報領域に記録又は再生する動作と、前記記録又は再生ヘッド移動手段を前記第２の情報領域に移動して、前記第２の連続的な情報を前記第２の情報領域に記録又は再生する動作を、時分割して交互に行うように制御する制御手段と、
記録又は再生開始動作時には
前記第１の連続的な情報を前記第１の情報領域に記録又は再生する動作と、前記第２の連続的な情報を前記第２の情報領域に記録又は再生する動作を、時分割して交互に行う動作に移行する制御調整手段と、
を有することを特徴とする複数の情報の記録再生装置。
【請求項２】
前記情報記録媒体に記録を行った場合には、前記第１の連続的な情報又は前記第２の連続的な情報の管理情報を前記情報記録媒体の管理領域に記録することを特徴とする請求項１記載の複数の情報の記録再生装置。
【発明の詳細な説明】
【技術分野】
【０００１】
本発明は複数の情報の記録再生装置に関し、特に用途が異なるかあるいはデータフォーマットの異なる複数のデータ記録エリアを有し、複数種類のデータをそれぞれ記録・再生可能な複数の領域（エリア）を有する情報記録媒体から同期して再生する複数の情報の記録再生装置に関する。
【背景技術】
【０００２】
情報を光学的にあるいは光磁気的に記録して、光学的に再生する種々の光記録媒体が開発され、実用化されている。かかる光記録媒体は、再生専用のもの、記録・再生兼用のものなどがある。従来のハイブリッドＭＤ（ミニディスク）には再生領域と記録領域があり、ＣＤプラスには音楽などが記録されたＣＤＤＡ領域とコンピュータデータなどが記録されているＣＤＲＯＭ領域があり、これらのディスクでは物理的に１枚のディスクでありながら、用途が異なるかあるいはデータフォーマットの異なる複数のデータ記録エリアを有している。なお、ＤＶＤでも同様である。
【発明の開示】
【発明が解決しようとする課題】
【０００３】
かかる複数の記録領域（エリア）の双方に相互に関連するデータが記録されている場合、その再生は次のように行っていた。すなわち、これらの関連するデータを単に別々に再生するか、特に関連データ同志を同期再生させる必要があるときは、光記録媒体から再生された関連データの少なくとも一方をパソコンの大容量メモリに取り込み、他方のデータの光記録媒体からの再生に同期させて再生していた。
【０００４】
また、カラオケのようにオーケストラなどの演奏が記録されたディスクを用いて、カラオケユーザが自分の歌声を記録して、演奏と同期再生する場合にも、上記同様パソコンのメモリを利用して同期をとる必要があった。さらに、関連する２つのデータを同期記録しようとするときも同様であった。
【０００５】
したがって、本発明は関連する２以上の複数のデータを１枚のディスクから同期して再生することが可能な複数の情報の記録再生装置を提供することを目的とする。
【課題を解決するための手段】
【０００６】
上記目的を達成するため、本発明は下記(１)，(２)の構成を有する複数の情報の記録再生装置を提供する。
(１)   第１の連続的な情報を記録又は再生するための第１の情報領域と第２の連続的な情報を記録又は再生するための第２の情報領域とを有する情報記録媒体に、
第１の連続的な情報の転送レートと第２の連続的な情報の転送レートと、前記情報記録媒体に対して記録又は再生する転送レートの差を吸収する一時記憶手段と、
前記一時記憶手段の書き込み及び読み出しを制御して、
１つの記録又は再生ヘッド移動手段を用いて、
前記記録又は再生ヘッド移動手段を前記第１の情報領域に移動して、前記第１の連続的な情報を前記第１の情報領域に記録又は再生する動作と、前記記録又は再生ヘッド移動手段を前記第２の情報領域に移動して、前記第２の連続的な情報を前記第２の情報領域に記録又は再生する動作を、時分割して交互に行うように制御する制御手段と、
記録又は再生開始動作時には
前記第１の連続的な情報を前記第１の情報領域に記録又は再生する動作と、前記第２の連続的な情報を前記第２の情報領域に記録又は再生する動作を、時分割して交互に行う動作に移行する制御調整手段と、
を有することを特徴とする複数の情報の記録再生装置。
(２)   前記情報記録媒体に記録を行った場合には、前記第１の連続的な情報又は前記第２の連続的な情報の管理情報を前記情報記録媒体の管理領域に記録することを特徴とする請求項１記載の複数の情報の記録再生装置。
【発明の効果】
【０００７】
本発明の複数の情報の記録再生装置は上記のように構成されているので次の効果がある。すなわち、外部パソコンや大容量メモリを用いずに、かつ連続する情報を途切れさせることなく関連データを同期再生することが可能である。また、本発明はカラオケの演奏とユーザの歌声の同期再生のみならず、データフォーマットの異なる音声情報と映像情報や文字情報、その他の情報の任意の組み合わせで同期再生を行うことができる。特に、２以上のデータのリアルタイム同期再生の機能を従来のポータブルＣＤプレーヤに持たせることにより安価で携帯に便利でかつ、付加価値の高い光ディスク装置を提供することができる。
【発明を実施するための最良の形態】
【０００８】
以下図面とともにデータ記録済ディスクの形態を好ましい例によって説明する。図１はデータ記録済ディスクの好ましい例の平面を模式的に示す図である。このディスク１０は直径１２０ｍｍの光記録媒体であり、内周から外周へ向って第１リードインエリア１１、第１データエリア１２、第１リードアウトエリア１３、第２リードインエリア１４、第２データエリア１５、第２リードアウトエリア１６の順で各領域が略同心円状に配列されている。ここで、第１リードインエリア１１は、第１データエリア１２の各データのアドレスなどを記録しておく第１ＴＯＣを構成し、また第２リードインエリア１４は、第２データエリア１５の各データのアドレスなどを記録しておく第２ＴＯＣを構成している。
【０００９】
図２及び図３はこれらの第１と第２のＴＯＣの記録データを模式的に示す図である。図２及び図３で＊印を付けた同期データのアドレス（スタートアドレス及びエンドアドレス）は特有のものであり、かつ△印を付けたモードの中には記録の許可・禁止、コピーの許可・禁止、オーディオデータ・ビデオデータの区別、モノラル・ステレオの区別、エンファシスのオン・オフの区別の他に同期情報の存在を示す識別データが記録されている。上記同期データのアドレスと識別データは第１と第２の両ＴＯＣに予めディスクの製造時に書き込んでおくことにより、再生時にはどちらのＴＯＣをアクセスしても第１データエリア１２と第２データエリア１５のデータを同期再生すべきか否かが判断できるようになる。その結果、再生の態様としては、第１データエリア又は第２データエリアのいずれか一方の単独再生と、両エリアの同時進行的同期再生の３つの態様が可能となる。
【００１０】
上記例では、第１データエリア１２と第２データエリア１５が共に記録済であり、再生専用のディスクからの情報の同期再生について説明したが、第１データエリア１２にはカラオケの演奏を予め記録しておき、第２データエリア１５はセクタは構成されているものの、記録可能としておき、ディスクの販売時にはデータの入っていない状態のものとすることもできる。すなわち、記録・再生兼用タイプのディスクとし、カラオケの演奏を第１データエリア１２から再生しながらユーザが歌声を第２データエリア１５に同期録音し、再生時には演奏と歌声を同期再生することもできる。なお、図２の第１のＴＯＣ中のディスクタイプには、記録・再生兼用タイプか、再生専用タイプか、あるいは一方のエリアのみ再生専用タイプかが示される。
【００１１】
［表１］
かかる記録・再生兼用タイプのディスクの使用例について説明する。
第１データエリア    カラオケ音声又は動画付き音声
第２データエリア    各ユーザの歌声
を入れて、練習時は第１データエリアのみを再生して練習し、
録音時は第１データエリアを聞きながら第２データエリアに各ユーザの声のみを録音し、再生時は第２データエリアの各ユーザの声のみを再生してもよいし、
再生時は第１データエリアと第２データエリアを同時に再生し各ユーザの声とそれぞれミキシングしながら聴くとか、第１データエリアの動画のみを再生し、音声は再生せず、第２データエリアの歌声を再生する。
【００１２】
［表２］
第１データエリア    音楽
第２データエリア    上記音楽に関連したビデオクリップ
当初は第１データエリアの音楽を録音して、
第２データエリアに上記音楽に関連したビデオクリップをあらためてＴＯＣ上の同期情報とともに記録して、聴きたい時にはビデオクリップの画像も同期再生する。
この場合は、同期情報を両ＴＯＣに記録する。
また、第１データエリアが再生専用などの場合は当然第２データエリアのみ同期情報を記録するし、再生時も片方のみを読み込む。
【００１３】
次に、本発明の好ましい実施例について説明する。
図５は、複数データ同期再生方法の好ましい実施例を示すフローチャートである。この複数データ同期再生方法並びに後述する同期記録・再生方法及び同期記録方法はいずれも、図４に示すブロック図の構成を有するディスク装置により実行される。なお、以下の例は同期再生方法、同期記録・再生方法及び同期記録方法であるが、図４のディスク装置は記録・再生の両機能を有するものとして説明してあるが、再生のみを行う場合は記録機能は不要であることは言うまでもない。
【００１４】
図４において、ディスク１０がスピンドル（ＳＰ）モータ１８によりＣＬＶ（線速度一定）で回転されるようモータドライバ／トラッキング・フォーカスサーボ制御回路２４により制御が行われる。光ヘッドは光ピックアップ２０Ａと記録用磁気（磁界変調）ヘッド２０Ｂを有していて、サーボ制御回路２４によりその移動などが制御される。光ピックアップ２０Ａによりディスク１０より読み出されたＥＦＭ信号はプリアンプなどを含む再生回路２８に供給され、その出力信号は信号処理回路３２に与えられる。記録時には信号処理回路３２からの信号が記録アンプなどを含む記録回路２６を介して記録用磁気ヘッド２０Ｂに供給される。システムコントローラ３０は信号処理回路３２及びサーボ制御回路２４と信号の授受を行い、光ディスク記録・再生装置全体を制御する。光ピックアップ２０
Ａの出力信号は、アドレス再生回路２２にも与えられ、ここで予めディスクに書き込まれているＡＤＩＰ信号、すなわちウォブリングにＦＭ変調された書き込まれたアドレス情報と速度情報から光ピックアップ２０Ａの現在のトラックを判断し、再生されたアドレスはサーボ制御回路２４に与えられる。
【００１５】
信号処理回路３２には第１及び第２データを外部と授受するための端子がそれぞれ設けられている。また、第１及び第２メモリ３４、３６が信号処理回路３２に接続され、データの一時的保存と、その後の読み出しが行われる。信号処理回路３２の出力信号はモータドライバ／トラッキング・フォーカス制御回路２４に供給され、スピンドルモータ１８の回転制御と光ピックアップのトラッキングサーボ制御及びフォーカスサーボ制御を行う。光ピックアップ２０Ａ及び記録用磁気ヘッド２０Ｂは図示省略のトラバースモータにてディスク１０の半径方向に移動可能であり、また図示省略のフォーカスサーボ制御機構により光ピックアップ２０Ａの対物レンズがフォーカス方向、すなわち光路に沿った方向に移動可能である。信号処理回路３２及びモータドライバ／トラッキング・フォーカス制御回
路２４はシステムコントローラ３０と信号授受し、ディスク装置全体の動作が制御される。なお、ユーザが各種指示を入力するための入力部は図示省略されている。システムコントローラ３０は周知のようにＣＰＵを有し、また信号処理回路３２もＣＰＵを有していて、後述のフローチャートなどに従った動作を行う。
【００１６】
光ピックアップ２０Ａはまた、レーザビームをディスク１０に照射するレーザダイオードを有し、その反射光に基づいてディスク１０に記録された光学的情報を再生した信号を出力したり、周知の非点収差法によるフォーカスエラー信号や位相差法によるトラッキングエラー信号を検出するためにも用いられる。これらのエラー信号は再生回路２８を介して信号処理回路３２で処理され、サーボ制御回路２４に必要なフィードバック情報を供給する。なお、図４の構成はＭＤ用のディスク装置と同様に記録回路２６と記録用磁気ヘッド２０Ｂを有しているが、ＣＤプラスのように再生専用の場合は、かかる記録用磁気ヘッド２０Ｂは不要である。また、ＤＶＤなどのように相変化による記録を行うタイプの場合は、レーザビームパワーを再生時より高くし、記録層が相変位点を超えるように加熱する
ことにより記録を行うので、やはり図４の記録用磁気ヘッド２０Ｂは不要である。
【００１７】
次に本発明の実施例について図５のフローチャートなどに沿って説明する。第１、第２データエリアとも記録可能エリアであって、既に、第１データエリアにカラオケ音声又は動画付き音声、第２データエリアに各ユーザの歌声が入っていて、図示しない入力装置によって同期再生の指示が有った場合の処理は図５のフローチャートのようになる。まず電源を入れた状態でフォーカスのサーボをオンし（ステップＳ１）、スピンドルモータを起動し（ステップＳ２）トラッキング制御をし（ステップＳ３）、アドレスを検出し（ステップＳ４）、ＴＯＣのデータを読み込む（ステップＳ５）。
【００１８】
図示省略の制御指示入力部から同期再生の指示が入力されたものとして説明すると、かかる指示があったか否かを判断し（ステップＳ６）、指示のないときは通常再生ルーチンなどへ移行する。同期再生の指示があるときは、同期データを含むＴＯＣデータをシステムコントローラ３０が記憶しているから、ＣＤのようにディスクからのデータ読み出しレートと、音声データなどの最終データの送出レートが同じ場合か否かを判断し（ステップＳ７）、レート比が１でないときは少なくともこのレート比が２倍以上（例として４倍）の所定値になるようにスピンドルモータの回転数を上げる（ステップＳ８）。なお、ＭＤのようにもともと圧縮伸長レート比が５倍のものはそのままでよい。図６は、光ピックアップ２０Ａのディスク１０上の移動を模式的に示す図である。図中Ｐ１〜Ｐ１１はフェーズ１〜フェーズ１１を示している。また、図７は光ピックアップ２０Ａのフェーズに対応して各メモリ３４、３６のデータ残量を示す図である。まず、図６中のＰ１で示されるように第１データエリア１２へアクセスする（ステップＳ９）。なお、以下の説明で、第１データエリア１２又は第２データエリア１５へのアクセスは、当該データエリア内の所望のデータをサーチする動作を含むものとする。
【００１９】
［表３］
以下、各フェーズ毎に説明する。
＜フェーズ１＞
第１データを第１メモリ３４へ最大値にならない値での所定値になるまで４倍速で書き込み（ステップＳ１０、Ｓ１１）
＜フェーズ２＞
前記所定値になったら第１データエリアから第２データエリアへアクセス及び第１メモリポーズ（ステップＳ１２）
＜フェーズ３＞
第２データを第２メモリ３６へ４倍速で書き込み及び第１メモリポーズ（ステップＳ１２）
＜フェーズ４＞
最大値になったら第１メモリデータと第２メモリデータと同期してメモリより読み出し開始１倍速（この例では、メモリ出力時に同期させるが圧縮データなどで伸長時間を第１と第２データでそれぞれ要するものなどは当然これ以降で同期の処理をする）
及び第１データエリアへアクセス（ステップＳ１３、Ｓ１４）
＜フェーズ５＞
第１メモリの残量がエンプティであることを検出し、第１データを第１メモリへ４倍速で書き込み（エンプティを検出するまではこの位置でキックを繰り返しながら待機する）
第１データエリアも第２データエリアも読み出しは１倍速で継続（ステップＳ１５、Ｓ１６、Ｓ１７）
＜フェーズ６＞
第２データエリアへアクセス
第１データエリアも第２データエリアも読み出しは１倍速で継続（ステップＳ１８）
＜フェーズ７＞
第２メモリの残量がエンプティであることを検出し第２データを第２メモリへ４倍速で書き込み（エンプティを検出するまではこの位置でキックを繰り返しながら待機する）
第１メモリも第２メモリも読み出しは１倍速で継続（ステップＳ１９、Ｓ２０、Ｓ２１）
＜フェーズ８〜フェーズ１１＞
フェーズ４、５、６、７を全データの再生が終了するまで繰り返す（ステップＳ２２→Ｓ１４）。
【００２０】
上記動作において、４倍速での書き込みは、時間軸を圧縮するものであり、読み出し時に書き込み時の速度より遅い速度でデータを読み出すことにより、時間軸伸長が行われる。再生時は第１データエリアと第２データエリアを同時に再生し各ユーザの声とそれぞれミキシングしながら聴くとか、この動作によって連続した映像や音声を何曲も連続して再生可能である。ここでのポイントは、ピックアップの動作が両メモリ３４、３６への書き込み処理上で、かちあわないように、ディレイさせ（フェーズ１、２、３の処理）、このフェーズ４、５、６、７の処理のようにディスク上の読み出しタイミングがそれぞれから見て中間の時間近くになることが望ましい。また、ディスク１０からの読み出しエラーなどの対処のためのリトライ処理などに要する余裕時間をとることが望ましい。
【００２１】
図６の移動遷移図は模式的なもので、実際はディスクは回転方向が一定であり、回転待ち時間や、ＣＬＶで内周と外周のディスクの回転数が違う場合の対応が必要である。図４のブロック図のメモリ３４、３６は２つに分けて示してあるが、単一のメモリ、例えば４ＭＢのメモリを分割して、ＴＯＣ用、第１、第２各エリア用として用いてもよい。また、上記例では２つのメモリを用いて２つの異なるデータを同期再生しているが、同時に３つ以上のデータを同期再生することも同様の手法で行うことができる。
【００２２】
次に、本発明の実施例について図８及び図９からなるフローチャートなどに沿って説明する。図１０は、光ピックアップ２０Ａのディスク１０上の移動を模式的に示す図である。図中Ｐ１〜Ｐ９はフェーズ１〜フェーズ９を示している。また、図１１は光ピックアップ２０Ａのフェーズに対応して各メモリ３４、３６のデータ残量を示す図である。まず、図１０中のＰ１で示されるように第１データエリアへアクセスする。
【００２３】
［表４］
以下、各フェーズ毎に説明する。
＜フェーズ１＞
第１データエリアのデータを第１メモリへ（４倍速）最大値まで書き込み開始（ステップＳ１０）
＜フェーズ２＞
最大値になったら第１メモリから（１倍速）再生開始（ステップＳ１１、Ｓ１２Ａ）
同時に外部よりの第２データを第２メモリへ（１倍速）第１データと同期して書き込み開始
所定の第１データエリアにキックし待機（所定値を検出するまではこの位置でキックを繰り返しながら待機する）（ステップＳ１５）
＜フェーズ３＞
第１メモリが所定値（又は第２メモリが最大値とエンプティとの中間値）になったら第１データエリアの継続位置のデータを第１メモリへ（４倍速）最大値まで書き込み開始（ステップＳ１６、ステップＳ１７）
第１メモリからの読み出し続行
外部よりの第２データを第２メモリへ書き込み続行
＜フェーズ４＞
第２メモリが最大値になったら第２メモリへの書き込みを中止し（ステップＳ２３、Ｓ２４）、
所定の第２データエリアへアクセス（ステップＳ２５）
第１メモリから読み出し続行（ステップＳ２６）
外部よりの第２データを第２メモリへ書き込み続行（ステップＳ２６）
＜フェーズ５＞
第２メモリが最大値になったら、第２データエリアの所定位置から同期信号や誤り訂正を付加してセクタ構成を行いディスクにエンプティになるまで書き込み開始（４倍速）（ステップＳ２７、Ｓ２８）
第１メモリからの読み出し続行（ステップＳ２９）
外部よりの第２データを第２メモリへ書き込み続行（ステップＳ２９）
＜フェーズ６＞
第２メモリがエンプティになったらディスクへの書き込みを中止し（ステップＳ３０、Ｓ３１）、
所定の第１データエリアへアクセス（ステップＳ３２）
第１メモリからの読み出し続行（ステップＳ３３）
外部よりの第２データを第２メモリへ書き込み続行（ステップＳ３３）
＜フェーズ７＞
第１メモリがエンプティになったら第１データエリアの継続位置のデータを第１メモリへ（４倍速）最大値まで書き込み開始（ステップＳ３４、Ｓ３５）
第１メモリからの読み出し続行（ステップＳ３６）
外部よりの第２データを第２メモリへ書き込み続行（ステップＳ３６）
＜フェーズ８＞
フェーズ４と同じで以降フェーズ４、５、６、７を全データの記録終了まで繰り返す（ステップＳ３７→Ｓ２３）。
＜最終フェーズ＞
所定の記録が終了した時点で前記両データが同期データである内容と同期スタートアドレスと終了アドレスをＴＯＣ上にタイトル他の必要なデータと同時に記録する（ステップＳ３８）。
これにより、再生時は第１データエリアと第２データエリアを同時に再生し、各ユーザの声とそれぞれミキシングしながら聴くとか、この動作によって連続して映像や音声を何曲も連続して再生可能である。
【００２４】
次に同期記録方法の例について図１２及び図１３に沿って説明する。図１２は、光ピックアップ２０Ａのディスク１０上の移動を模式的に示す図である。図中Ｐ１〜Ｐ１０はフェーズ１〜フェーズ１０を示している。また、図１３は光ピックアップ２０Ａのフェーズに対応して各メモリ３４、３６のデータ残量を示す図である。まず、図１２中のＰ１で示されるように第１データエリアへアクセスする。同期記録方法の例についてのフローチャートは省略するが、上述の同期記録・再生方法の例のフローチャート（図８、図９）に必要な改変を加えたものとなる。すなわち、図８のステップＳ１〜Ｓ９までを実行した後、次の各フェーズを実行する。
【００２５】
［表５］
以下、各フェーズ毎に説明する。
＜フェーズ１＞
外部よりの第１データを第１メモリへ（１倍速）最大値でない所定値（ここでの所定値は第１メモリが最大値とエンプティの中間値になったことを検出する方法と、第２メモリが最大値とエンプティの中間値になったことを検出する方法あり）まで書き込み
外部よりの第２データを第２メモリへ（１倍速）第１データと同期して書き込み開始
所定の第１データエリアへアクセス
＜フェーズ２＞
第１メモリが所定値になったら第１データエリアの所定位置から同期信号や誤り訂正を付加してセクタ構成を行いディスクにエンプティになるまで書き込み開始（４倍速）
外部よりの第１データを第１メモリへ書き込み続行
外部よりの第２データを第２メモリへ書き込み続行
＜フェーズ３＞
エンプティでディスクへの書き込みを中止し、
所定の第２データエリアへアクセス
外部よりの第１データを第１メモリへ書き込み続行
外部よりの第２データを第２メモリへ書き込み続行
＜フェーズ４＞
第１メモリが所定値の最大値になったら第２データエリアの所定位置から同期信号や誤り訂正を付加してセクタ構成を行いディスクにエンプティになるまで書き込み開始（４倍速）
外部よりの第１データを第１メモリへ書き込み続行
外部よりの第２データを第２メモリへ書き込み続行
＜フェーズ５＞
エンプティでディスクへの書き込みを中止し、
所定の第１データエリアへアクセス
（なお省略したが最大値を検出するまではこの位置でキックを繰り返しながら待機する）
外部よりの第１データを第１メモリへ書き込み続行
外部よりの第２データを第１メモリへ書き込み続行
＜フェーズ６＞
第１メモリが所定の最大値になったら第１データエリアの所定位置から同期信号や誤り訂正を付加してセクタ構成を行いディスクにエンプティになるまで書き込み開始（４倍速）
外部よりの第１データを第１メモリへ書き込み続行
外部よりの第２データを第２メモリへ書き込み続行
＜フェーズ７＞
フェーズ３と同じで以降フェーズ３、４、５、６を繰り返す。
＜最終フェーズ＞
所定の記録が終了した時点で前記両データが同期データである内容と同期スタートアドレスと終了アドレスをＴＯＣ上にタイトル他の必要なデータと同時に記録する。
【図面の簡単な説明】
【００２６】
【図１】データ記録済ディスクの平面の各領域を模式的に示す平面図である。
【図２】データ記録済ディスクの第１のＴＯＣのデータ配列を模式的に示す図である。
【図３】データ記録済ディスクの第２のＴＯＣのデータ配列を模式的に示す図である。
【図４】本発明を実現するためのディスクの例を示すブロック図である。
【図５】本発明の好ましい実施例を示すフローチャートである。
【図６】本発明の好ましい実施例における光ピックアップの移動軌跡を示す図である。
【図７】本発明の好ましい実施例における光ピックアップの位置と各メモリのデータ量との関係を示すグラフである。
【図８】本発明の好ましい実施例を示すフローチャートの一部である。
【図９】本発明の好ましい実施例を示すフローチャートの一部であり、図８に続く部分である。
【図１０】本発明の好ましい実施例における光ピックアップの移動軌跡を示す図である。
【図１１】本発明の好ましい実施例における光ピックアップの位置と各メモリのデータ量との関係を示すグラフである。
【図１２】本発明の好ましい実施例における光ピックアップの移動軌跡を示す図である。
【図１３】本発明の好ましい実施例における光ピックアップの位置と各メモリのデータ量との関係を示すグラフである。
【符号の説明】
【００２７】
１０  光ディスク
１１  第１リードインエリア
１２  第１データエリア
１３  第１リードアウトエリア
１４  第２リードインエリア
１５  第２データエリア
１６  第２リードアウトエリア
１８  スピンドル（ＳＰ）モータ
２０Ａ  光ピックアップ
２０Ｂ  記録用磁界変調ヘッド
２２  アドレス再生回路
２４  モータドライバ／トラッキング・フォーカスサーボ制御回路
２６  記録回路
２８  再生回路
３０  システムコントローラ
３２  信号処理回路
３４  第１メモリ
３６  第２メモリ
【図１】
2005122888.tif 000003
【図２】
2005122888.tif 000004
【図３】
2005122888.tif 000005
【図４】
2005122888.tif 000006
【図５】
2005122888.tif 000007
【図６】
2005122888.tif 000008
【図７】
2005122888.tif 000009
【図８】
2005122888.tif 000010
【図９】
2005122888.tif 000011
【図１０】
2005122888.tif 000012
【図１１】
2005122888.tif 000013
【図１２】
2005122888.tif 000014
【図１３】
2005122888.tif 000015